(57)【要約】【課題】異常検出接点を持たない突入電流制限用リレーを用いて安価に並列接点部の異常検出ができ、システムを安全に停止する事ができる電力変換装置を提供する。【解決手段】並列接点異常検出装置１０は、互いに減極性となるよう、並列接点部５、６のそれぞれの接点と直列に接続された第１、第２のコイル１５、１６を有するソレノイドコイル７と、並列接点部５、６と第１、第２のコイル１５、１６のそれぞれ接続点間１１、１２に発生した電圧を検出すると接点異常検出信号を出力する電圧検出器８と、を備える。【選択図】図１
2008206280.tif 000002
【特許請求の範囲】
【請求項１】
交流電力を入力し直流電力に変換するコンバータ部（１）と、
前記コンバータ部（１）の直流出力電圧を平滑する平滑用コンデンサ（３）と、
前記コンバータ部（１）と前記平滑用コンデンサ（３）との間の正負直流母線のいずれか一方と直列に接続され前記平滑用コンデンサ（３）の突入電流を制限する抵抗（４）と、
前記抵抗（４）に２組の接点が並列接続された並列接点部（５、６）と、
前記並列接点部（５、６）の異常を検出して検出信号を出力する並列接点異常検出装置（１０）と、
を備えた電力変換装置において、
前記並列接点異常検出装置（１０）は、
互いに減極性となるよう、前記並列接点部（５、６）のそれぞれの接点と直列に接続された第１、第２のコイル（１５、１６）を有するソレノイドコイル（７）と、
前記並列接点部（５、６）と前記第１、第２のコイル（１５、１６）のそれぞれ接続点間（１１、１２）に発生した電圧を検出すると接点異常検出信号を出力する電圧検出器（８）と、を備えたことを特徴とする電力変換装置。
【請求項２】
前記並列接点異常検出装置（１０）は、
前記ソレノイドコイル（７）に代えて、互いに電流の向きが逆になるように前記２組の並列接点部（５、６）の出力をそれぞれ入力し前記電流の不平衡を検出する零相ＣＴ（９）を備えたことを特徴とする請求項１記載の電力変換装置。
【発明の詳細な説明】
【技術分野】
【０００１】
本発明は、コンバータ部を備えた電力変換装置に関し、特に、コンバータ部の平滑用コンデンサへの突入電流を制限するための突入電流制限抵抗および突入電流制限用リレーの並列接点からなる突入電流制限装置を有し、並列接点の異常を検出する並列接点異常検出装置を備えた電力変換装置に関するものである。
【背景技術】
【０００２】
従来の複数の接点を有するリレーにおいて接点異常を検出する場合は、リレーに内蔵された補助接点を用いて行われている（例えば、特許文献１参照）。
【０００３】
従来の電力変換装置の突入電流制限装置においても同様に、突入電流制限用リレーの接点部を並列に接続し使用する場合、並列接点部の異常検出は突入電流制限用リレーに内蔵された異常検出接点を用いて行われる。
【特許文献１】特開平４−２１５２１６号公報  （第１図）
【発明の開示】
【発明が解決しようとする課題】
【０００４】
しかしながら、従来技術による電力変換装置の並列接点異常検出装置は、突入電流制限用リレーに内蔵された異常検出接点を用いて行われるため、高価であった。また異常検出接点を持たない突入電流制限用リレー接点の並列使用は、片方の接点が開放故障した場合にもう一方の接点へ電流が集中し焼損してしまうという問題があった。
【０００５】
本発明はこのような問題点に鑑みてなされたものであり、異常検出接点を持たない突入電流制限用リレーを用いて安価に並列接点部の異常検出ができ、システムを安全に停止する事ができる電力変換装置を提供することを目的とする。
【課題を解決するための手段】
【０００６】
上記問題を解決するため、本発明は、次のように構成したのである。
【０００７】
請求項１に記載の発明は、交流電力を入力し直流電力に変換するコンバータ部と、前記コンバータ部の直流出力電圧を平滑する平滑用コンデンサと、前記コンバータ部と前記平滑用コンデンサとの間の正負直流母線のいずれか一方と直列に接続され前記平滑用コンデンサの突入電流を制限する抵抗と、前記抵抗に２組の接点が並列接続された並列接点部と、前記並列接点部の異常を検出して検出信号を出力する並列接点異常検出装置と、を備えた電力変換装置において、前記並列接点異常検出装置は、互いに減極性となるよう、前記並列接点部のそれぞれの接点と直列に接続された第１、第２のコイルを有するソレノイドコイルと、前記並列接点部と前記第１、第２のコイルのそれぞれ接続点間に発生した電圧を検出すると接点異常検出信号を出力する電圧検出器と、を備えたことを特徴とするものである。
【０００８】
また、請求項２に記載の発明は、請求項１に記載の電力変換装置において、前記並列接点異常検出装置は、前記ソレノイドコイルに代えて、互いに電流の向きが逆になるように前記２組の並列接点部の出力をそれぞれ入力し前記電流の不平衡を検出する零相ＣＴを備えたことを特徴とするものである。
【発明の効果】
【０００９】
請求項１に記載の発明によると、並列接続された２組の並列接点部のどちらかが異常となった場合、出力電流の不平衡としてソレノイドコイルの端子間に電圧として現れる為、これを検出する事で異常検出接点を持たない突入電流制限用リレーを用いて、安価に並列接点部の異常を検出する事ができ、システムを安全に停止する事ができる。
【００１０】
また、請求項２に記載の発明によると、並列接続された２組の並列接点部のどちらかが異常となった場合、出力電流の不平衡により零相ＣＴの出力として検出する事で異常検出接点を持たない突入電流制限用リレーを用いて、安価に並列接点部の異常を検出する事ができ、システムを安全に停止する事ができる。
【発明を実施するための最良の形態】
【００１１】
以下、本発明の実施の形態について図を参照して説明する。
【実施例１】
【００１２】
図１は、本発明の第1実施例を示す電力変換装置の構成図である。
【００１３】
図１において、１はコンバータ部、２はインバータ部、３は平滑用コンデンサ、４は抵抗、５、６は並列接続された２組の並列接点部、７は減極性に接続されたソレノイドコイル、８はソレノイドコイル７の端子間の電圧検出器、１０は並列接点異常検出装置、１１、１２、１３、１４はソレノイドコイル７の端子、１５、１６はソレノイドコイル７のコイルである。また、Ｉａ、Ｉｂは電流であり矢印→は電流の向きを示しているものとする。また、ソレノイドコイル７のコイル１５、１６の部分に記載されている黒丸印は極性マークを示している。
【００１４】
本発明が従来技術と異なる点は、本発明の電力変換装置における並列接点異常検出装置１０は、互いに減極性となるよう、並列接点部５、６のそれぞれの接点と直列に接続された第１、第２のコイル１５、１６を有するソレノイドコイル７と、並列接点部５、６と第１、第２のコイル１５、１６のそれぞれ接続点間１１、１２に発生した電圧を検出すると接点異常検出信号を出力する電圧検出器８と、を備えるようにしている点である。
【００１５】
以下、図１を用いて本実施例の電力変換装置における並列接点異常検出装置１０の動作を説明する。
【００１６】
ＩａとＩｂは並列接続された２組の並列接点部５、６のそれぞれの出力電流である。正常時は、Ｉａ＝Ｉｂとなり減極性に接続されたソレノイドコイル７の端子１１、１２間に電圧は発生しない。しかし、もしどちらかの並列接点部に異常が発生し片側へ電流が集中した場合は、Ｉａ≠Ｉｂとなりソレノイドコイル７の端子１１、１２間に電圧が発生し、その電圧を電圧検出器８で検出して、接点異常検出信号を出力することにより異常検出する事ができる。
【００１７】
以上述べたように、本実施例に係る電力変換装置は、並列接続された２個の並列接点部５、６の出力間に減極となるようソレノイドコイル７を接続する事で並列接点部５、６の不平衡をソレノイドコイル７の端子間電圧として発生させ、ソレノイドコイル７の端子１１、１２間電圧を検出する電圧検出器８により異常を検出するようにしているので、その接点異常検出信号を用いてシステムを安全に停止させることが出来るのである。
【実施例２】
【００１８】
図２は、本発明の第２実施例を示す電力変換装置の構成図である。
【００１９】
図２において、９は零相ＣＴである。尚、図１と同じ説明符号のものは、図１と同じ構成要素を示しているものとし、その説明は省略する。
【００２０】
第１実施例と相違する点は本実施例の電力変換装置における並列接点異常検出装置１０は、ソレノイドコイル７の代わりに零相ＣＴ９を使用し、電圧検出器８は零相ＣＴ９の出力電圧を検出するようにしている点である。
【００２１】
以下、図２を用いて本実施例の電力変換装置における並列接点異常検出装置１０の動作を説明する。
【００２２】
零相ＣＴ９へ２組の並列接点部５、６の出力電流ＩａとＩｂを相殺するように入力する。  
【００２３】
したがって、正常時は零相ＣＴ９は出力せず、どちらかの並列接点部に異常が発生し片側へ電流が集中した場合Ｉａ≠Ｉｂとなり零相ＣＴ９が電圧を発生し、その発生電圧を電圧検出器８で検出することにより異常検出する事ができる。
【００２４】
以上述べたように、本実施例に係る電力変換装置は、並列接続された２組の並列接点部５、６のどちらかが異常となった場合、並列接点部５、６の出力電流Ｉａ、Ｉｂの不平衡により零相ＣＴ９の出力として電圧検出器８により異常を検出するようにしているので、その検出信号を用いてシステムを安全に停止させることが出来るのである。  
【産業上の利用可能性】
【００２５】
本発明は、インバータ装置、サーボ装置、電源装置など突入電流制限抵抗を有する電力変換装置に広く適用が可能である。
【図面の簡単な説明】
【００２６】
【図１】本発明の第1実施例を示す電力変換装置の構成図
【図２】本発明の第２実施例を示す電力変換装置の構成図
【符号の説明】
【００２７】
１  コンバータ部
２  インバータ部
３  平滑用コンデンサ
４  抵抗
５、６  並列接点部
７  減極性に接続されたソレノイドコイル
８  電圧検出器
９  零相ＣＴ
１０  並列接点異常検出装置
１１、１２、１３、１４  ソレノイドコイル７の接続端子
１５、１６  ソレノイドコイル７のコイル
【図１】
2008206280.tif 000003
【図２】
2008206280.tif 000004